(57)【要約】【課題】研磨時における研磨ロール自体に起因する異物の発生を低減し、研磨ロールから剥離した異物により発生する異物欠陥を低減することができるトップロール研磨装置を提供する。【解決手段】連続溶融金属メッキラインに設けられたトップロール８の表面を研磨ロール１１で研磨するトップロール研磨装置（ポリッシャー）１０において、研磨ロール１１として、研磨ロール１１の直径Ｄに対する研磨ロール１１の羽長さ（研磨布１１ｂの長さ）Ｌの比である羽長さ比Ｒが０．１５以下である形状を有するものを適用する。また、コントローラ２０によって、研磨ロール１１の回転速度が１９ｍ／ｓ以上となるように駆動モータ１２を制御する。【選択図】      図４
2013059828.tif 000002
【特許請求の範囲】
【請求項１】
連続溶融金属メッキラインに設けられたトップロールの表面を研磨ロールで研磨するトップロール研磨装置であって、
前記研磨ロールは、ロール芯の外周面に多数枚の研磨布紙を放射状に接着して構成されており、
前記研磨ロールの直径に対する前記研磨布紙の長さの比が、０．１５以下に設定されていることを特徴とするトップロール研磨装置。
【請求項２】
前記研磨ロールの回転速度を１９ｍ／ｓ以上に制御する速度制御手段を備えることを特徴とする請求項１に記載のトップロール研磨装置。
【発明の詳細な説明】
【技術分野】
【０００１】
本発明は、連続溶融金属メッキラインを走行する鋼帯の方向変更のために設けられる、所謂トップロールの表面を研磨するトップロール研磨装置に関する。
【背景技術】
【０００２】
例えば、合金化溶融亜鉛メッキ鋼板を製造する場合、連続溶融金属メッキラインに設けられた合金化炉トップロールには、亜鉛メッキされた鋼板が高温の状態で通板されるため、トップロールの表面に亜鉛粉末等の異物が付着しやすい。この異物は製品である鋼板に押疵状の表面欠陥をつけ、製品の品質を劣化させる。そこで、従来、このような表面欠陥の発生を低減するために、研磨ロールでトップロールの表面を研磨している。
【０００３】
従来のトップロールの研磨装置としては、例えば特許文献１に記載の技術がある。この技術は、研磨ロールを回転させるモータの負荷に応じて、研磨ロールのトップロールへの押込み量を調整するものである。これにより、研磨ロールをトップロールの軸方向の全体にわたり適切な力で接触させ、トップロールの表面に付着している異物を適切に除去するようにしている。
【０００４】
また、研磨不足や不均一研磨の抑制を目的としたロール研磨装置としては、例えば特許文献２に記載の技術がある。この技術は、異物を研削除去する回転ブラシの損耗状態を検知し、この検知結果に応じて、使用初期から末期に至るまで、ロールに対する回転ブラシ押付け量を実質的に一定に維持するように制御するものである。さらに、ここでは、ロールにより搬送されるメッキ鋼帯の搬送速度に応じて、回転ブラシのロール軸方向の移動速度を制御している。
【０００５】
ところで、トップロールの研磨に際し、研磨ロールが研磨を行うことによって発生した屑（トップロールから除去された異物等）が鋼帯に付着すると、異物欠陥となり製品の品質が劣化する。
そこで、このような異物欠陥の発生を低減するものとして、例えば特許文献３に記載の技術がある。この技術は、トップロールに付着した異物を研磨ロールによって研磨・除去した後、その際に発生した研磨粉を、研磨ロールの下方に配置されたブレードとバキューム装置とで回収・吸引するものである。
【先行技術文献】
【特許文献】
【０００６】
【特許文献１】特開２００３−１１７７８２号公報
【特許文献２】特開平４−３０８０６９号公報
【特許文献３】特開２０１０−９４７９０号公報
【発明の概要】
【発明が解決しようとする課題】
【０００７】
ところで、研磨ロールとして、例えば表面にアルミナ系研磨材が塗布された多数枚の研磨布紙を周方向に並べて配置した構成のものを適用した場合、研磨ロールが研磨を行うことによって上記研磨材が剥離するなど、研磨ロール自体に起因して発生した屑が鋼帯に付着するおそれがあり、このような異物も鋼帯に付着すると、異物欠陥となり製品の品質が劣化する。
しかしながら、上記特許文献１及び２に記載の従来装置にあっては、トップロールの表面に付着している異物を適切に除去して表面欠陥の発生を低減することのみを目的としているため、研磨時に発生した屑が鋼帯に付着することで発生する異物欠陥については低減することができない。
【０００８】
また、上記特許文献３に記載の従来装置にあっては、研磨時に発生した屑を回収・吸引する方法が提案されているだけで、研磨時に研磨ロール自体に起因して発生する屑ついては考慮されていない。そのため、上記従来装置では、研磨ロール自体に起因して発生した屑が鋼板に付着することで異物欠陥が発生するおそれがある。
そこで、本発明は、研磨時における研磨ロール自体に起因する異物の発生を低減し、研磨ロールから剥離した異物により発生する異物欠陥を低減することができるトップロール研磨装置を提供することを課題としている。
【課題を解決するための手段】
【０００９】
上記課題を解決するために、本発明に係るトップロール研磨装置は、連続溶融金属メッキラインに設けられたトップロールの表面を研磨ロールで研磨するトップロール研磨装置であって、前記研磨ロールは、ロール芯の外周面に多数枚の研磨布紙を放射状に接着して構成されており、前記研磨ロールの直径に対する前記研磨布紙の長さの比が、０．１５以下に設定されていることを特徴としている。
これにより、研磨ロールでトップロールの表面を研磨した際に、研磨ロール自体に起因して屑（異物）が発生するのを抑制することができる。その結果、このような異物が鋼板に付着するのを抑制することができる。このように、研磨ロールの形状を適切に設定することで、異物欠陥の発生を抑制することができる。
【００１０】
また、上記において、前記研磨ロールの回転速度を１９ｍ／ｓ以上に制御する速度制御手段を備えることを特徴としている。
これにより、研磨ロールでトップロールの表面を研磨した際に、研磨ロール自体に起因して屑（異物）が発生するのを抑制することができる。その結果、このような異物が鋼板に付着するのを抑制することができる。このように、研磨ロールの回転速度を適切に設定することで、異物欠陥の発生を抑制することができる。さらに、研磨ロールの回転速度（周速）を１９ｍ／ｓ以上と比較的速く設定することで、研磨ロール自体の磨耗を少なくすることができ、耐久性を向上させることができる。
【発明の効果】
【００１１】
本発明によれば、研磨ロールの形状や回転速度を適切に設定することで、研磨時における研磨ロール自体に起因する異物の発生を低減することができるので、このような異物が操業中に研磨ロールから剥離して鋼板に付着する率を低減することができる。したがって、研磨ロールから剥離した異物によって発生する異物欠陥を低減し、製品の品質低下を抑制することができる。
【図面の簡単な説明】
【００１２】
【図１】連続溶融金属メッキラインの工程を示す図である。
【図２】本発明に係るトップロール研磨装置の構成を示す側面図である。
【図３】本発明に係るトップロール研磨装置の構成を示す正面図である。
【図４】研磨ロールの形状を示す図である。
【図５】研磨ロールの羽長さ比と異物混入率との関係を示す図である。
【図６】研磨ロールの回転速度と異物混入率との関係を示す図である。
【図７】研磨ロールの回転速度の違いによる研磨ロールの磨耗状況の違いを示す図である。
【発明を実施するための形態】
【００１３】
以下、本発明の実施の形態を図面に基づいて説明する。
図１は、連続溶融金属メッキラインの工程を示す図である。
連続溶融金属メッキラインでは、図示しない焼鈍炉で加熱された鋼帯１が、溶融金属めっき（めっき浴）２を保持したポット３内に連続的に供給される。そして、ポット３内に供給された鋼帯１は、めっき浴２内に設けられた浸漬ロール４によって進行方向を鉛直にし、ポット３を出てそのまま上昇する。このとき、鋼帯１の表面には溶融金属めっきが付着されている。
【００１４】
溶融金属めっきが付着した鋼帯１は、めっき付着量がワイピングと称するガスの吹き付けで調整された後、必要に応じ加熱装置５で加熱され、めっき層を合金化する。その後、鋼帯１は冷却装置６，７で冷却される。
このような連続溶融金属メッキラインでは、鉛直上昇した鋼帯１は、互いに離隔して設けられた２個のトップロール８によって進行方向を反転させ、下降するようになっている。なお、図１では、鋼帯１の上昇側に冷却装置６、下降側に冷却装置７を設置している。このように、冷却装置は、建家の高さの制約から、通常、鋼帯１の上昇側と下降側との２箇所に分けて設置される。その後、鋼帯１は、図示しないスキンパス圧延工程等の後工程を経てテンションリールに巻き取られる。
【００１５】
ところで、トップロール８は、操業中に３００℃〜４００℃の温度を有する鋼帯１と接触する。このように高温の鋼帯１と接触すると、トップロール８の表面に亜鉛粉末等の異物が付着しやすい。この異物は、製品である鋼板に押疵状の表面欠陥をつけ、製品の品質を劣化させる。
【００１６】
そこで、トップロール８の表面に付着した異物を除去するために、トップロール８の近傍には、トップロール８の表面を研磨するトップロール研磨装置が設けられている。以下、トップロール研磨装置の構成について具体的に説明する。
図２は、本発明に係るトップロール研磨装置の構成を示す側面図、図３は本発明に係るトップロール研磨装置の構成を示す正面図である。図中符号１０は、トップロール研磨装置としてのポリッシャーである。ポリッシャー１０は、２つのトップロール８とほぼ同じ高さの位置にそれぞれ配置されている。
【００１７】
ポリッシャー１０は、回転しながらトップロール８の表面と接触し、その表面を研磨する研磨ロール１１を備える。研磨ロール１１は、駆動モータ１２によってベルトを介してトップロール８とは反対方向に回転駆動される。駆動モータ１２はコントローラ（速度制御手段）２０によって制御可能となっており、コントローラ２０が駆動モータ１２を制御することで、研磨ロール１１の回転速度（回転数）が制御される。これら研磨ロール１１及び駆動モータ１２は、横行フレーム１３上に載設される。
【００１８】
横行フレーム１３は、図３にも示すように、トップロール８の軸方向（横方向）に延在するガイドレール１４上を摺動可能に構成されている。横行フレーム１３の横方向への移動は、横行モータ３１により例えばボールねじで構成される移動軸３２を介して行う。なお、この横方向の移動は、手動ハンドル３３によって作業者が手動で行うこともできる。
ガイドレール１４は縦走行フレーム１５上に載置されており、縦走行フレーム１５は、図２に示すように、トップロール８の軸直方向（縦方向）に延在するガイドレール３４上を摺動可能に構成されている。縦走行フレーム１５の縦方向への移動は、縦走行フレーム１５の後方（トップロール８とは反対側）に配置されたシリンダ１６によって行う。ここで、シリンダ１６は、油圧または空気圧を利用したシリンダが好適である。
【００１９】
また、研磨ロール１１は、その周方向に長方形の研磨布（若しくは研磨紙）を多数（例えば８００枚程度）並べて構成されている。すなわち、図４に示すように、研磨ロール１１は、ロール芯１１ａと、ロール芯１１ａの外周に放射状に接着される多数枚の研磨布１１ｂとを備える。例えば、研磨布１１ｂとしては、太綾織布を合成樹脂加工して表面にアルミナ系研磨材を塗布したものを用いる。
【００２０】
また、図４に示すように、研磨ロール１１の直径をＤ［ｍｍ］、研磨布１１ｂの長さ（羽長さ）をＬ［ｍｍ］としたとき、研磨ロール１１の形状を、研磨ロール１１の直径Ｄに対する羽長さＬの比（羽長さ比）Ｒ（＝Ｌ／Ｄ）が０．１５以下になるようにする。さらに、コントローラ２０は、研磨ロール１１の回転速度が１９ｍ／ｓ（回転数で１０５０ｒｐｍ）以上となるように、駆動モータ１２を制御するものとする。
【００２１】
本発明者らは、研磨ロールの羽長さ比Ｒの違いが、研磨ロールの異物の混入状態に及ぼす影響を調査するために、以下の条件で操業実験を行った。ここで、異物の混入状態は、次式で定義される異物混入率により評価するものとする。次式における異物の発生個数は、製造ラインに設置された鋼板の表面疵検査装置によって、鋼板表面上の異物として検出された欠陥の個数であり、入側コイル長は欠陥の個数を検出した際の検査に供した鋼板長さである。表面疵検査装置によって検出される異物の個数は、研磨ロール屑（研磨ロール自体に起因して発生する屑）による異物欠陥の個数とよく一致するために、研磨ロール屑による異物の混入状態を表すものとして、次式の算出に用いた。すなわち、次式に示すように、異物混入率は、鋼板の単位長さあたりの異物の発生個数に比例する数値である。
異物混入率［％］＝（異物の発生個数［個］）／（入側コイル長［ｍ］）×１００  ………（１）
なお、研磨ロール自体に起因して発生する屑（異物）としては、例えば、研磨布紙の表面に塗布されたアルミナ系研磨材が剥離するなどにより発生する屑（異物）が挙げられる。
【００２２】
鋼帯としては軟鋼材を用い、研磨ロールの回転数を１０５０ｒｐｍに制御した状態で操業を行った。そして、この操業を、羽長さ比Ｒが異なる研磨ロールを用いてそれぞれ行い、異物混入率の違いを調査した。その結果を図５に示す。
図５の横軸はトップロールの駆動源の電流負荷［Ａ］、縦軸は異物混入率［％］であり、図中、折れ線ａは羽長さ比Ｒ＝０．２０、折れ線ｂは羽長さ比Ｒ＝０．１７、折れ線ｃは羽長さ比Ｒ＝０．１５の研磨ロールを用いた場合についてそれぞれ示している。
【００２３】
この図５に示すように、電流負荷が４．８Ａ程度まではいずれの場合も異物混入率は比較的低い値（０．４％前後）を示すが、電流負荷が４．８Ａを超えたあたりから、羽長さ比Ｒ＝０．２０（折れ線ａ）の場合と、羽長さ比Ｒ＝０．１７（折れ線ｂ）の場合とで、異物混入率が増加傾向を示す。そして、この増加傾向は、羽長さ比Ｒが大きいほど大きい。一方、羽長さ比Ｒ＝０．１５（折れ線ｃ）の場合は、電流負荷の大きさによらず、異物混入率は０．４％程度のほぼ一定値で推移する。
なお、発明者らは、このよう状況が、少なくとも電流負荷６．５Ａまで維持することを確認している。
【００２４】
以上により、羽長さ比Ｒが０．１５以下の形状を有する研磨ロールを適用することで、トップロールの駆動源の電流負荷によらずに異物混入率を低減できることがわかった。
そこで、本実施形態では、直径Ｄに対する羽長さＬの比である羽長さ比Ｒが０．１５以下となる形状を有する研磨ロール１１を適用している。
なお、羽長さ比Ｒは、あまりに小さいと研磨ロールの磨耗による研磨ロールの交換頻度が高くなるため、０．１０以上とすることが好ましい。
【００２５】
また、本発明者らは、研磨ロールの回転速度の違いが、研磨ロールの異物の混入状態に及ぼす影響を調査するために、以下の条件で操業実験を行った。
鋼帯としては軟鋼材を用い、研磨ロールとしては羽長さ比Ｒ＝０．１５の形状のものを用いて操業を行った。そして、この操業を、研磨ロールの回転速度（回転数）を異ならせてそれぞれ行い、異物混入率の違いを調査した。その結果を図６に示す。
【００２６】
図６の横軸はトップロールの駆動源の電流負荷［Ａ］、縦軸は異物混入率［％］であり、図中、折れ線Ａは研磨ロールの回転速度Ｖ＝１１ｍ／ｓ、折れ線Ｂは回転速度Ｖ＝１６．５ｍ／ｓ、折れ線Ｃは回転速度Ｖ＝１９ｍ／ｓの場合についてそれぞれ示している。なお、回転速度Ｖ＝１１ｍ／ｓは研磨ロールの回転数で６００ｒｐｍ、回転速度Ｖ＝１６．５ｍ／ｓは研磨ロールの回転数で９００ｒｐｍ、回転速度Ｖ＝１９ｍ／ｓは研磨ロールの回転数で１０５０ｒｐｍに相当する。
【００２７】
この図６に示すように、回転速度Ｖ＝１１ｍ／ｓ（折れ線Ａ）の場合と、回転速度Ｖ＝１６．５ｍ／ｓ（折れ線Ｂ）の場合とで、電流負荷が大きくなるにつれて異物混入率が増加傾向を示す。そして、この増加傾向は、回転速度Ｖが速いほど大きい。一方、回転速度Ｖ＝１９ｍ／ｓ（折れ線Ｃ）の場合は、電流負荷の大きさによらず、異物混入率は０．４％程度のほぼ一定値で推移する。
さらに、このとき、本発明者らは、研磨ロールの回転速度Ｖの違いによる研磨ロールの磨耗状況の違いを調査した。この調査は、研磨ロールの回転速度Ｖを異ならせて所定期間ずつ操業を行った後の研磨ロールの状況を、目視検査することで行った。その結果を図７に示す。
【００２８】
図７は、研磨ロールを軸直方向から見た図であり、図７（ａ）は回転速度Ｖ＝１１ｍ／ｓで所定期間操業を行った後の研磨ロールの状況、図７（ｂ）は回転速度Ｖ＝１９ｍ／ｓで所定期間操業を行った後の研磨ロールの状況を示している。
この調査では、回転速度Ｖが速い方が、明らかに研磨ロールの磨耗が少ないことが確認できた。したがって、研磨ロールの回転速度を上げた方が、研磨ロールの長期使用が可能だと推測される。
【００２９】
以上により、研磨ロールの回転速度Ｖを１９ｍ／ｓ以上に制御することで、トップロールの駆動源の電流負荷によらずに異物混入率を低減できると共に、研磨ロールの耐久性を向上することができることがわかった。
そこで、本実施形態では、研磨ロール１１の回転速度が１９ｍ／ｓ以上となるように、コントローラ２０によって駆動モータ１２を制御している。
なお、研磨ロールの回転速度は、速くしすぎると駆動モータ１２と研磨ロール１１との間を介するベルトの磨耗など、モータ周辺機器の劣化が起こりやすくなるため、３０ｍ／ｓ以下程度とすることが好ましい。
なお、発明者らは、このよう状況が、少なくとも電流負荷６．５Ａまで維持することを確認している。
【００３０】
このように、羽長さ比Ｒが０．１５以下となる形状を有する研磨ロール１１を適用すると共に、当該研磨ロール１１の回転速度を１９ｍ／ｓ以上とすることで、研磨ロール１１でトップロール８の表面を研磨した際の研磨ロール自体に起因する屑（異物）の発生を効果的に抑制することができる。
したがって、研磨ロール１１から剥離した異物が鋼帯１に付着することに起因して発生する異物欠陥を低減させることができ、製品の品質低下を抑制することができる。また、研磨ロール１１の形状や回転速度を適切に設定するだけであるため、特別な装置や複雑な制御を必要とせず、比較的容易に実現可能である。
さらに、研磨ロール１１の回転速度を１９ｍ／ｓ以上とすることで、研磨ロール１１自体が磨耗するのを抑制することができ、研磨ロール１１の長期使用が可能となる。
【００３１】
なお、上記本実施形態においては、ポリッシャー１０に、研磨ロール１１のトップロール８への押込み量を調整するなど、異物除去能力を向上させる公知の技術を適用することもできる。これにより、研磨ロール１１から剥離した異物によって発生する異物欠陥に加えて、トップロール８の表面に付着した異物が鋼板に押し付けられることで発生する押疵状の表面欠陥も効果的に低減することができる。したがって、より適切に製品の品質低下を抑制することができる。
【符号の説明】
【００３２】
１…鋼帯、２…溶融金属めっき（めっき浴）、３…ポット、４…浸漬ロール、５…加熱装置、６，７…冷却装置、８…トップロール、１０…ポリッシャー（トップロール研磨装置）、１１…研磨ロール、１１ａ…ロール芯、１１ｂ…研磨布、１２…駆動モータ、１３…走行フレーム、１４…ガイドレール、１５…縦走行フレーム、１６…シリンダ、２０…コントローラ（速度制御手段）、３１…横行モータ、３２…移動軸、３３…手動ハンドル、３４…ガイドレール
【図１】
2013059828.tif 000003
【図２】
2013059828.tif 000004
【図３】
2013059828.tif 000005
【図４】
2013059828.tif 000006
【図５】
2013059828.tif 000007
【図６】
2013059828.tif 000008
【図７】
2013059828.tif 000009